(57)【要約】【課題】作成済みの印字付き無線タグラベルの印字態様を流用又は活用することで、簡単にタグラベルを作成することができるタグラベル作成装置を提供する【解決手段】ＩＣ回路部１５０とタグアンテナ１５１とを備えた無線タグ回路素子Ｔo−Ｗを配置したタグテープ３０３を搬送するための搬送ローラ３０８と、搬送ローラ３０８で搬送されるタグテープ３０３に印字を行う印字ヘッド３０５と、タグテープ３０３の無線タグ回路素子Ｔo−Ｗに対し、無線通信を介し情報の送受信を行うラベル作成用アンテナ３０６Ｗと、印字領域Ｓへ所定の印字がなされた無線タグラベルＴ−Ｒに設けられ、印字内容情報として操作者が固定的に利用可能な固定印字領域Ｓｘに関わるテンプレート情報を記憶保持した無線タグ回路素子Ｔo−Ｒより、リーダ用アンテナ３０６Ｒを介し取得したテンプレート情報を用いて印字ヘッド３０５による印字の制御を行う制御回路３１１とを有する。【選択図】図２
2008243145.tif 000002
【特許請求の範囲】
【請求項１】
情報を記憶するＩＣ回路部と情報の送受信を行うタグアンテナとを備えたラベル作成用無線タグ回路素子を配置したタグ媒体を搬送するための搬送手段と、
前記搬送手段で搬送される前記タグ媒体又はこれに貼り合わされる被印字媒体に印字を行う印字手段と、
前記タグ媒体の前記ラベル作成用無線タグ回路素子に対し、無線通信を介し情報の送受信を行うラベル作成用アンテナ手段と、
印字領域へ所定の印字がなされた無線タグラベルに設けられ、印字内容情報として操作者が固定的に利用可能な固定印字領域に関わる固定印字領域情報を記憶保持したＩＣ回路部を備えた情報取得用無線タグ回路素子との間で、無線通信により情報の送受信を行う情報取得用アンテナ手段と、
前記情報取得用アンテナ手段を介し、前記情報取得用無線タグ回路素子より前記固定印字領域情報を取得する情報取得手段と、
少なくとも、前記情報取得手段で取得された前記固定印字領域情報を用いて、前記印字手段による印字の制御を行う印字制御手段と
を有することを特徴とするタグラベル作成装置。
【請求項２】
請求項１記載のタグラベル作成装置において、
前記情報取得手段は、
前記情報取得用アンテナ手段を介し、前記情報取得用無線タグ回路素子より、前記固定印字領域情報として前記固定印字領域のデザイン情報に関連づけられたデザイン関連情報を取得し、
前記印字制御手段は、
前記デザイン関連情報を用いて取得した前記固定印字領域のデザイン情報に基づく印字を行うように、前記印字手段を制御する
ことを特徴とするタグラベル作成装置。
【請求項３】
請求項１記載のタグラベル作成装置において、
前記情報取得手段は、
前記情報取得用アンテナ手段を介し、前記情報取得用無線タグ回路素子より、前記固定印字領域情報として前記固定印字領域のデザイン情報を取得し、
前記印字制御手段は、
前記取得されたデザイン情報に基づく印字を行うように、前記印字手段を制御する
ことを特徴とするタグラベル作成装置。
【請求項４】
請求項１乃至請求項３のいずれか１項記載のタグラベル作成装置において、
情報を記憶する装置側記憶手段と、
前記情報取得手段で取得した前記固定印字領域情報を、前記装置側記憶手段に書き込み可能な第１書き込み制御手段を有する
ことを特徴とするタグラベル作成装置。
【請求項５】
請求項４記載のタグラベル作成装置において、
前記装置側記憶手段の記憶した前記固定印字領域情報を読み出す第１読み出し制御手段を有する
ことを特徴とするタグラベル作成装置。
【請求項６】
請求項１乃至請求項３のいずれか１項記載のタグラベル作成装置において、
前記タグ媒体を供給可能な無線タグ回路素子収納体を着脱可能な収納体設置部を有する
ことを特徴とするタグラベル作成装置。
【請求項７】
請求項６記載のタグラベル作成装置において、
前記情報取得手段で取得した前記固定印字領域情報を、前記収納体設置部に設置した無線タグ回路素子収納体に備えられた収納体側記憶手段に書き込み可能な第２書き込み制御手段を有することを特徴とするタグラベル作成装置。
【請求項８】
請求項７記載のタグラベル作成装置において、
前記収納体側記憶手段の記憶した前記固定印字領域情報を読み出す第２読み出し制御手段を有する
ことを特徴とするタグラベル作成装置。
【請求項９】
請求項６記載のタグラベル作成装置において、
前記収納体設置部に設置する前記無線タグ回路素子収納体に備えられた前記タグ媒体の種類を検出するタグ媒体検出手段と、
前記タグ媒体検出手段で検出された前記タグ媒体の種類と、前記情報取得手段で取得した前記固定印字領域情報との適合性を判定する適合性判定手段と
を有することを特徴とするタグラベル作成装置。
【請求項１０】
請求項９記載のタグラベル作成装置において、
前記適合性判定手段で不適合と判定された場合、その旨を報知するための不適合報知信号を生成する報知信号生成手段を有する
ことを特徴とするタグラベル作成装置。
【請求項１１】
請求項９記載のタグラベル作成装置において、
前記適合性判定手段で不適合と判定された場合、前記情報取得手段で取得した前記固定印字領域情報を、前記タグ媒体検出手段で検出された前記タグ媒体の種類に対応させて変更する領域変更手段を有し、
前記印字制御手段は、
少なくとも、前記領域変更手段で変更された前記固定印字領域を用いて、前記印字手段による印字の制御を行う
ことを特徴とするタグラベル作成装置。
【請求項１２】
請求項４，５，７，８のいずれか１項記載のタグラベル作成装置において、
前記第１又は第２書き込み制御手段は、
新たに前記情報取得手段で取得した前記固定印字領域情報を、順次自動的に前記装置側記憶手段又は前記収納体側記憶手段に書き込み蓄積する
ことを特徴とするタグラベル作成装置。
【請求項１３】
請求項１２記載のタグラベル作成装置において、
前記装置側記憶手段又は前記収納体側記憶手段の記憶状態に応じて、前記蓄積された前記固定印字領域情報の少なくとも一部を削除処理する削除処理手段を有する
ことを特徴とするタグラベル作成装置。
【請求項１４】
請求項１３記載のタグラベル作成装置において、
前記装置側記憶手段又は前記収納体側記憶手段に記憶された前記固定印字領域情報に対し、前記削除処理手段による前記削除処理機能が及ばないようにする削除防止識別子を付与可能な識別子付与手段を有する
ことを特徴とするタグラベル作成装置。
【請求項１５】
請求項５又は請求項８記載のタグラベル作成装置において、
前記固定印字領域情報に対応した前記固定印字領域を表示するための第１表示信号を生成し出力する第１表示信号生成手段を有する
ことを特徴とするタグラベル作成装置。
【請求項１６】
請求項１５記載のタグラベル作成装置において、
前記装置側記憶手段又は前記収納体側記憶手段に記憶された複数の前記固定印字領域情報のうち、前記第１又は第２読み出し制御手段による読み出し処理後に前記第１表示信号生成手段で優先的に前記第１表示信号を生成するものを設定可能な表示設定手段を有する
ことを特徴とするタグラベル作成装置。
【請求項１７】
請求項１６記載のタグラベル作成装置において、
前記表示設定手段は、
前記装置側記憶手段又は前記収納体側記憶手段に記憶された前記複数の固定印字領域情報のうち、前記情報取得手段で取得された時期が最新のものを、優先的に前記第１表示信号を生成するものとして設定する
ことを特徴とするタグラベル作成装置。
【請求項１８】
請求項１５乃至請求項１７のいずれか１項記載のタグラベル作成装置において、
前記第１表示信号に対応した前記固定印字領域を表示するための表示手段を有することを特徴とするタグラベル作成装置。
【請求項１９】
請求項１乃至請求項１８のいずれか１項記載のタグラベル作成装置において、
前記情報取得用アンテナ手段は、
印字内容情報として、前記固定印字領域情報と、前記固定印字領域に基づき操作者が可変に設定する可変印字情報とを記憶保持したＩＣ回路部を備えた情報取得用無線タグ回路素子との間で、無線通信により情報の送受信を行い、
前記情報取得手段は、前記情報取得用アンテナ手段を介し、前記情報取得用無線タグ回路素子より前記固定印字領域情報と前記可変印字情報とを取得し、
前記情報取得手段で取得した前記可変印字情報を表示するための第２表示信号を生成し出力する第２表示信号生成手段を有する
ことを特徴とするタグラベル作成装置。
【請求項２０】
請求項１９記載のタグラベル作成装置において、
前記第２表示信号に対応した新たな可変印字情報を入力する情報入力手段を有し、
前記印字制御手段は、
前記固定印字領域情報に対応した前記固定印字領域と、前記情報入力手段で入力した前記可変印字情報とを用いて、前記印字手段による印字の制御を行う
ことを特徴とするタグラベル作成装置。
【請求項２１】
請求項２０記載のタグラベル作成装置において、
前記新たな可変印字情報を操作入力するための操作手段を有することを特徴とするタグラベル作成装置。
【発明の詳細な説明】
【技術分野】
【０００１】
本発明は、外部より無線通信を介し読み取り又は書き込みを行える無線タグラベルを作成するのに用いるタグラベル作成装置に関する。
【背景技術】
【０００２】
近年、所定の無線タグ情報を記憶するＩＣ回路部とこのＩＣ回路部に接続されて情報の送受信を行うアンテナとを備えた無線タグ回路素子を有する小型の無線タグとリーダ（読み取り装置）／ライタ（書き込み装置）との間で非接触で情報の読み取り／書き込みを行うＲＦＩＤ（Radio Frequency Identification）システムが提唱されており、様々な分野において実用化されつつある。
【０００３】
上記無線タグの一例である無線タグラベルを作成するタグラベル作成装置の従来技術として、例えば特許文献１に記載のものがある。この従来技術では、カートリッジホルダを用いて設置されるカートリッジのカートリッジ情報を取得し、この取得したカートリッジ情報に応じ、印字手段の印字内容に関して複数設定された固定印字領域（テンプレート）の中から、対応する少なくとも１つの固定印字領域を表示手段（ディスプレイ）に表示させる。これにより、面倒な設定操作を行うことなく、容易に所望のラベルに対する最適な印字を行ってラベルを作成することを可能としている。
【０００４】
【特許文献１】特開２００７−２１７３２号公報
【発明の開示】
【発明が解決しようとする課題】
【０００５】
近年、前述したような無線タグラベルの実用化の進展により、多種多様な態様の無線タグラベルのニーズが増大している。このような多様な印字態様の無線タグラベルを作成するには、上記従来技術のタグラベル作成装置では、作成する無線タグラベルに適したカートリッジを選択して装着し、これにより固定印字領域を選定・指定する必要があった。このため、異なる印字態様の無線タグラベルを作成する都度カートリッジを交換する必要があり、操作者の手間を要していた。
【０００６】
本発明の目的は、作成済みの印字付き無線タグラベルの印字態様を流用又は活用することで、簡単にタグラベルを作成することができるタグラベル作成装置を提供することにある。
【課題を解決するための手段】
【０００７】
上記目的を達成するために、第１の発明は、情報を記憶するＩＣ回路部と情報の送受信を行うタグアンテナとを備えたラベル作成用無線タグ回路素子を配置したタグ媒体を搬送するための搬送手段と、前記搬送手段で搬送される前記タグ媒体又はこれに貼り合わされる被印字媒体に印字を行う印字手段と、前記タグ媒体の前記ラベル作成用無線タグ回路素子に対し、無線通信を介し情報の送受信を行うラベル作成用アンテナ手段と、印字領域へ所定の印字がなされた無線タグラベルに設けられ、印字内容情報として操作者が固定的に利用可能な固定印字領域に関わる固定印字領域情報を記憶保持したＩＣ回路部を備えた情報取得用無線タグ回路素子との間で、無線通信により情報の送受信を行う情報取得用アンテナ手段と、前記情報取得用アンテナ手段を介し、前記情報取得用無線タグ回路素子より前記固定印字領域情報を取得する情報取得手段と、少なくとも、前記情報取得手段で取得された前記固定印字領域情報を用いて、前記印字手段による印字の制御を行う印字制御手段とを有することを特徴とする。
【０００８】
本願第１発明のタグラベル作成装置においては、タグラベル作成時には、搬送手段で搬送されるタグ媒体又は被印字媒体に対し、印字手段で印字が行われる。またタグ媒体のラベル作成用無線タグ回路素子に対し、ラベル作成用アンテナ手段を介し情報送受信が行われ、これによって印字付きの無線タグラベルが作成される。
【０００９】
ここで、本願第１発明のタグラベル作成装置には情報取得用アンテナ手段が設けられ、既に作成された印字付き無線タグラベルの情報取得用無線タグ回路素子と情報送受信が可能となっている。情報取得用無線タグ回路素子のＩＣ回路部には、当該無線タグラベルの印字領域の印字内容情報として固定印字領域情報が記憶されている。この固定印字領域情報は、情報取得用アンテナ手段を介して情報取得手段で取得される。そして、前述のタグラベル作成時において、印字制御手段が、その取得された固定印字領域情報を用いて印字手段を制御することで、その固定印字領域を含む印字をタグ媒体に対し行わせることができる。
【００１０】
固定印字領域とは、例えば予め固定的に設定され、それ以外の部分に操作者が可変に印字情報を設定するだけで、印字領域全体に容易に所望の印字態様を実現できるようにしたものである。本願第１発明においては、上記のように、作成済みの印字付き無線タグラベルの固定印字領域を流用又は活用して印字手段で印字を行い、新たな無線タグラベルを作成することができる。したがって、操作者が印字領域全体の印字態様をすべて新規に設定したり、あるいは、操作者がラベル作成の都度固定印字領域を選定・指定する必要がなくなる。この結果、作成のために必要な操作者の負担を大きく低減し、簡単にラベル作成を行うことができる。また、既に作成された実物の無線タグラベルと同じ固定印字領域で作成されることから、これから作成しようとする無線タグラベルの印字態様を容易にイメージすることができ、操作者にとって視覚的にわかりやすく認識できる。
【００１１】
第２の発明は、上記第１発明において、前記情報取得手段は、前記情報取得用アンテナ手段を介し、前記情報取得用無線タグ回路素子より、前記固定印字領域情報として前記固定印字領域のデザイン情報に関連づけられたデザイン関連情報を取得し、前記印字制御手段は、前記デザイン関連情報を用いて取得した前記固定印字領域のデザイン情報に基づく印字を行うように、前記印字手段を制御する
ことを特徴とする。
【００１２】
情報取得手段で取得したデザイン関連情報を用いて固定印字領域のデザイン情報を取得し、その取得したデザイン情報に対応したデザインの固定印字領域を印字手段でタグ媒体の印字領域に印字し、簡単にラベル作成を行うことができる。また情報取得用無線タグ回路素子にデザイン情報そのものを記憶しなくて済むため、ＩＣ回路部のメモリ容量の消費を小さくすることができる。
【００１３】
第３の発明は、上記第１発明において、前記情報取得手段は、前記情報取得用アンテナ手段を介し、前記情報取得用無線タグ回路素子より、前記固定印字領域情報として前記固定印字領域のデザイン情報を取得し、前記印字制御手段は、前記取得されたデザイン情報に基づく印字を行うように、前記印字手段を制御することを特徴とする。
【００１４】
情報取得手段で固定印字領域のデザイン情報を取得し、その取得したデザイン情報に対応したデザインの固定印字領域を印字手段でタグ媒体の印字領域に印字し、簡単にラベル作成を行うことができる。また情報取得用無線タグ回路素子にデザイン情報そのものを直接記憶するため、別途の収納先よりデザイン情報を取得する必要がなく、データサーバ等の別途の収納先を用意する必要がない。
【００１５】
第４の発明は、上記第１乃至第３発明のいずれかにおいて、情報を記憶する装置側記憶手段と、前記情報取得手段で取得した前記固定印字領域情報を、前記装置側記憶手段に書き込み可能な第１書き込み制御手段を有することを特徴とする。
【００１６】
本願第４発明においては、固定印字領域情報を装置側に記憶させている。これにより、例えば着脱可能な無線タグ回路素子収納体よりタグ媒体を供給して用いる構造とした場合で、無線タグ回路素子収納体の交換を行った際であっても、そのまま同じ固定印字領域情報を用いてラベル作成を行うことができる。
【００１７】
第５の発明は、上記第４発明において、前記装置側記憶手段の記憶した前記固定印字領域情報を読み出す第１読み出し制御手段を有することを特徴とする。
【００１８】
装置側記憶手段に記憶させた固定印字領域情報を第１読み出し制御手段で読み出し、これを用いてラベル作成を行うことができる。
【００１９】
第６の発明は、上記第１乃至第３発明のいずれかにおいて、前記タグ媒体を供給可能な無線タグ回路素子収納体を着脱可能な収納体設置部を有することを特徴とする。
【００２０】
着脱可能な無線タグ回路素子収納体よりタグ媒体を供給して用いる構造とすることで、消耗品であるタグ媒体の補充を（無線タグ回路素子収納体の交換によって）円滑に行うことができる。
【００２１】
第７の発明は、上記第６発明において、前記情報取得手段で取得した前記固定印字領域情報を、前記収納体設置部に設置した無線タグ回路素子収納体に備えられた収納体側記憶手段に書き込み可能な第２書き込み制御手段を有することを特徴とする。
【００２２】
本願第７発明においては、固定印字領域情報を無線タグ回路素子収納体側に記憶させている。これにより、例えばその無線タグ回路素子収納体を取り外して別のタグラベル作成装置で用いる場合であっても、そのまま同じ固定印字領域情報を用いてラベル作成を行うことができる。
【００２３】
第８の発明は、上記第７発明において、前記収納体側記憶手段の記憶した前記固定印字領域情報を読み出す第２読み出し制御手段を有することを特徴とする。
【００２４】
収納体側記憶手段に記憶させた固定印字領域情報を第２読み出し制御手段で読み出し、これを用いてラベル作成を行うことができる。
【００２５】
第９の発明は、上記第６発明において、前記収納体設置部に設置する前記無線タグ回路素子収納体に備えられた前記タグ媒体の種類を検出するタグ媒体検出手段と、前記タグ媒体検出手段で検出された前記タグ媒体の種類と、前記情報取得手段で取得した前記固定印字領域情報との適合性を判定する適合性判定手段とを有することを特徴とする。
【００２６】
タグ媒体側と固定印字領域との適合性を判定することにより、不適合の場合には、その旨を報知したり、適合化するように印字修正を行う等、所定の対応をとることが可能となる。この結果、不適合時にそのまま印字を行い好ましくない印字態様となるのを確実に防止することができる。
【００２７】
第１０の発明は、上記第９発明において、前記適合性判定手段で不適合と判定された場合、その旨を報知するための不適合報知信号を生成する報知信号生成手段を有することを特徴とする。
【００２８】
これにより、同様の印字態様のラベルを作成するのが難しいことを、確実に操作者に認識させることができる。
【００２９】
第１１の発明は、上記第９発明において、前記適合性判定手段で不適合と判定された場合、前記情報取得手段で取得した前記固定印字領域情報を、前記タグ媒体検出手段で検出された前記タグ媒体の種類に対応させて変更する領域変更手段を有し、前記印字制御手段は、少なくとも、前記領域変更手段で変更された前記固定印字領域を用いて、前記印字手段による印字の制御を行うことを特徴とする。
【００３０】
これにより、同様の印字態様のラベルを作成するのが難しい場合であっても、なるべくそれに近い印字態様（例えば固定領域の等倍比拡大・縮小や幅方向又は長手方向の拡大・縮小等したもの）のラベルを作成することができる。
【００３１】
第１２の発明は、上記第４，５，７，８発明のいずれかにおいて、前記第１又は第２書き込み制御手段は、新たに前記情報取得手段で取得した前記固定印字領域情報を、順次自動的に前記装置側記憶手段又は前記収納体側記憶手段に書き込み蓄積することを特徴とする。
【００３２】
これにより、過去に一度でも使用した固定印字領域情報については、これを読み出すことで流用又は活用し、同様の固定印字領域を用いて簡単にラベル作成を行うことが可能となる。
【００３３】
第１３の発明は、上記第１２発明において、前記装置側記憶手段又は前記収納体側記憶手段の記憶状態に応じて、前記蓄積された前記固定印字領域情報の少なくとも一部を削除処理する削除処理手段を有することを特徴とする。
【００３４】
これにより、操作者は、固定印字領域情報の蓄積によるメモリ不足やこれによる書き込み失敗を気にする必要がない。
【００３５】
第１４の発明は、上記第１３発明において、前記装置側記憶手段又は前記収納体側記憶手段に記憶された前記固定印字領域情報に対し、前記削除処理手段による前記削除処理機能が及ばないようにする削除防止識別子を付与可能な識別子付与手段を有することを特徴とする。
【００３６】
これにより、特に削除処理されたくない固定印字領域情報（例えば操作者にとって大事なもの等）を、知らない間に誤って自動削除処理されないようにすることができる。
【００３７】
第１５の発明は、上記第５又は第８発明において、前記固定印字領域情報に対応した前記固定印字領域を表示するための第１表示信号を生成し出力する第１表示信号生成手段を有することを特徴とする。
【００３８】
これにより、ラベル作成時に流用又は活用する固定印字領域情報を、操作者にとって視覚的に明らかに認識させることができる。
【００３９】
第１６の発明は、上記第１５発明において、前記装置側記憶手段又は前記収納体側記憶手段に記憶された複数の前記固定印字領域情報のうち、前記第１又は第２読み出し制御手段による読み出し処理後に前記第１表示信号生成手段で優先的に前記第１表示信号を生成するものを設定可能な表示設定手段を有することを特徴とする。
【００４０】
複数の固定印字領域情報のうち特定の固定印字領域情報については優先的に表示させることで、それを流用又は活用してラベル作成を行う場合に選択・指定操作を不要とし、操作労力を低減することができる。
【００４１】
第１７の発明は、上記第１６発明において、前記表示設定手段は、前記装置側記憶手段又は前記収納体側記憶手段に記憶された前記複数の固定印字領域情報のうち、前記情報取得手段で取得された時期が最新のものを、優先的に前記第１表示信号を生成するものとして設定することを特徴とする。
【００４２】
これにより、最新の固定印字領域情報を流用又は活用してラベル作成を行う場合に、選択・指定操作を不要とすることができる。
【００４３】
第１８の発明は、上記第１５乃至第１７発明のいずれかにおいて、前記第１表示信号に対応した前記固定印字領域を表示するための表示手段を有することを特徴とする。
【００４４】
これにより、タグラベル作成装置とは別の表示装置等を用意しなくても、ラベル作成時に流用又は活用する固定印字領域情報を操作者に表示することができる。
【００４５】
第１９の発明は、上記第１乃至第１８発明のいずれかにおいて、前記情報取得用アンテナ手段は、印字内容情報として、前記固定印字領域情報と、前記固定印字領域に基づき操作者が可変に設定する可変印字情報とを記憶保持したＩＣ回路部を備えた情報取得用無線タグ回路素子との間で、無線通信により情報の送受信を行い、前記情報取得手段は、前記情報取得用アンテナ手段を介し、前記情報取得用無線タグ回路素子より前記固定印字領域情報と前記可変印字情報とを取得し、前記情報取得手段で取得した前記可変印字情報を表示するための第２表示信号を生成し出力する第２表示信号生成手段を有することを特徴とする。
【００４６】
第２表示信号生成手段から可変印字情報に対応した第２表示信号のみを出力して表示させるようにすることで、この表示時における出力（送信）データ量を削減することができる。またこの結果、タグラベル作成装置外に設けた表示装置やタグラベル作成装置に備えられた表示手段が簡素な表示機能しか持たない場合であっても、固定印字領域情報を表示せず可変印字情報のみを表示させることで、円滑に固定印字領域を用いたラベル作成を行うことができる。
【００４７】
第２０の発明は、上記第１９発明において、前記第２表示信号に対応した新たな可変印字情報を入力する情報入力手段を有し、前記印字制御手段は、前記固定印字領域情報に対応した前記固定印字領域と、前記情報入力手段で入力した前記可変印字情報とを用いて、前記印字手段による印字の制御を行うことを特徴とする。
【００４８】
本願第２０発明においては、作成済みの印字付き無線タグラベルの固定印字領域を流用又は活用しつつ、その無線タグラベルの可変印字情報については情報入力手段で入力された新たな可変印字情報に置き換える。そして、それら固定印字領域情報と可変印字情報を合わせて用いて印字領域全体に印字手段で印字を行い、簡単にラベル作成を行うことができる。
【００４９】
第２１の発明は、上記第２０発明において、前記新たな可変印字情報を操作入力するための操作手段を有することを特徴とする。
【００５０】
これにより、タグラベル作成装置とは別の操作装置等を用意しなくても、ラベル作成時に置き換えるための新たな可変印字情報を操作者が操作入力することができる。
【発明の効果】
【００５１】
本発明によれば、作成済みの印字付き無線タグラベルの印字態様を流用又は活用することで、簡単にタグラベルを作成することができる。
【発明を実施するための最良の形態】
【００５２】
以下、本発明の一実施の形態を図面を参照しつつ説明する。
【００５３】
図１は、本実施形態のタグラベル作成装置３００を有する無線タグ生成システム１の全体構成を表すシステム構成図である。
【００５４】
図１において、無線タグ生成システム１は、情報を記憶するＩＣ回路部１５０とこのＩＣ回路部１５０に接続されるタグアンテナ１５１とを備えた無線タグ回路素子Ｔo（後述の図５参照）を有する無線タグラベルＴを作成すると共に、作成した無線タグラベルＴの無線タグ回路素子Ｔoから無線タグ情報を読み出すリーダとしての機能を有するタグラベル作成装置３００と、このタグラベル作成装置３００と有線あるいは無線による通信回線ＮＷを介し接続され、表示部１０１及び操作部１０２を有するＰＣ端末１００と、同様に通信回線ＮＷに接続され、タグラベル作成装置３００で作成される印字付き無線タグラベルＴの印字態様として操作者が固定的に利用可能な複数のテンプレート情報（固定印字領域情報）が読み出し可能に格納されるデータサーバ２００とを有している。
【００５５】
上記データサーバ２００に格納されるテンプレート情報は、当該無線タグラベルＴの印字領域Ｓのうちの固定印字領域Ｓｘの印字内容を表す情報である。上記固定印字領域Ｓｘとは、予め固定的に設定され、それ以外の部分（例えばテキスト印字部分）に操作者が可変に印字情報を設定するだけで、印字領域Ｓ全体に容易に所望の印字態様を実現できるようにしたものである（後述の図８参照）。
【００５６】
上記タグラベル作成装置３００は、その側面部に上記無線タグラベルＴの無線タグ回路素子Ｔoから無線タグ情報を読み出すためのリーダ用アンテナ３０６Ｒを有している。また上記ＰＣ端末１００は、上述したように表示部１０１及び操作部１０２を有しており、ユーザは表示部１０１に表示された表示画面を参照しつつ、操作部１０２を用いてタグラベル作成装置３００に対する各種指令の入力や情報の入力を行うことが可能となっている。
【００５７】
なお、以下、タグラベル作成装置３００で作成した無線タグラベルＴ及びこれに備えられる無線タグ回路素子Ｔoと、上記リーダ用アンテナ３０６Ｒを介して無線タグ情報の読み取りを行う無線タグラベルＴ及びこれに備えられる無線タグ回路素子Ｔoとを区別するために、適宜、前者を無線タグラベルＴ−Ｗ及び無線タグ回路素子Ｔo−Ｗ（ラベル作成用無線タグ回路素子）、後者を無線タグラベルＴ−Ｒ及び無線タグ回路素子Ｔo−Ｒ（情報取得用無線タグ回路素子）と記載する。
【００５８】
図２は、上記タグラベル作成装置３００の全体構成を概念的に表す全体構成図である。なお、図中に示す矢印は信号の流れの一例を示すものであり、信号の流れ方向を限定するものではない。
【００５９】
図２において、タグラベル作成装置３００は、上記のようにリーダとしての機能及び無線タグラベル作成機能を備えている。すなわち、タグラベル作成装置３００は、外部の無線タグ回路素子Ｔo−Ｒとの間で無線通信により情報の送受信を行い無線タグ情報の読み取りを行う上記リーダ用アンテナ３０６Ｒ（情報取得用アンテナ手段）及び高周波回路３０１Ｒと、所定間隔で無線タグ回路素子Ｔo−Ｗが備えられたタグテープ３０３（タグ媒体）を巻回したタグテープロール３０４（本来は渦巻状であるが簡略化して同心円で図示している。）を備えたカートリッジ３５０を着脱可能なカートリッジホルダ３５１と、上記カートリッジ３５０内のタグテープロール３０４から繰り出されたタグテープ３０３のうち各無線タグ回路素子Ｔo−Ｗに対応した領域に所定の印字を行う印字ヘッド３０５（印字手段）と、タグテープ３０３を搬送する搬送ローラ３０８（搬送手段）と、タグテープ３０３に備えられる無線タグ回路素子Ｔo−Ｗとの間で無線通信により情報の送受信を行い無線タグ情報の書き込みを行うラベル作成用アンテナ３０６Ｗ（ラベル作成用アンテナ手段）及び高周波回路３０１Ｗと、タグテープ３０３への印字及び無線タグ回路素子Ｔo−Ｗへの情報書き込みが終了したタグテープ３０３を所定の長さに切断して前述の無線タグラベルＴ−Ｗとするカッタ３０７と、上記ＰＣ端末１００及びデータサーバ２００と通信回線ＮＷを介して行われる通信の制御を行う通信制御部３０９と、無線タグラベルＴ−Ｒの無線タグ回路素子Ｔo−Ｒから読み出した無線タグ情報（ここではテンプレート情報）を記憶するための不揮発性の記憶部３１０（装置側記憶手段）と、以上の高周波回路３０１Ｒ，３０１Ｗ、印字ヘッド３０５、カッタ３０７、搬送ローラ３０８、通信制御部３０９、及び記憶部３１０等を含むタグラベル作成装置３００全体の動作を制御を行う制御回路３１１とを有する。
【００６０】
一方、ＰＣ１００は、各種操作・入力画面等の表示を行うための上記表示部１０１と、操作者が操作入力を行うための適宜のボタン、キー、マウス等を備えた上記操作部１０２と、上記タグラベル作成装置３００及びデータサーバ２００との間で通信回線ＮＷを介して行われる通信の制御を行う通信制御部１０４と、これら表示部１０１、操作部１０２、及び通信制御部１０４を含むＰＣ１００全体の動作を制御する制御回路１０５とを有する。
【００６１】
図３は、上記タグラベル作成装置３００の制御回路３１１の詳細機能を表す機能ブロック図である。
【００６２】
図３において、制御回路３１１は、いわゆるマイクロコンピュータであり、中央演算処理装置であるＣＰＵ３１１Ａ、ＲＯＭ３１１Ｂ、ＲＡＭ３１１Ｃ、高周波回路３０１Ｗ，３０１Ｒとの信号送受を行う回路制御部３１１Ｄ等から構成され、ＲＡＭ３１１Ｃの一時記憶機能を利用しつつＲＯＭ３１１Ｂに予め記憶されたプログラムに従って信号処理を行うようになっている。なお、特に図示はしないが、ＰＣ端末１００の制御回路１０５も同様の構成となっており、ＣＰＵ、ＲＯＭ、及びＲＡＭ等を有している。
【００６３】
図４は、上記タグラベル作成装置３００の制御系の構成を表す機能ブロック図である。なお、高周波回路３０１Ｗ，３０１Ｒは同等の構成であるので、この図４においては同一の回路で図示している。また、図中に示す矢印は信号の流れの一例を示すものであり、信号の流れ方向を限定するものではない。
【００６４】
図４において、高周波回路３０１Ｗ（または高周波回路３０１Ｒ。以下対応関係同じ）は、ラベル作成用アンテナ３０６Ｗ（またはリーダ用アンテナ３０６Ｒ）を介し無線タグ回路素子Ｔo−Ｗ（または無線タグ回路素子Ｔo−Ｒ）に対して信号を送信する送信部３１２と、ラベル作成用アンテナ３０６Ｗ（またはリーダ用アンテナ３０６Ｒ）により受信された無線タグ回路素子Ｔo−Ｗ（または無線タグ回路素子Ｔo−Ｒ）からの反射波を入力する受信部３１３と、送受分離器３１４とから構成される。
【００６５】
送信部３１２は、無線タグ回路素子Ｔo−Ｗ（または無線タグ回路素子Ｔo−Ｒ）のＩＣ回路部１５０の無線タグ情報を読み取るための搬送波を発生させる水晶振動子３３０、制御回路３１１の制御により所定の周波数の信号を発生させるＰＬＬ（Phase  Locked  Loop）３３１、及びＶＣＯ（Voltage  Controlled  Oscillator）３３２と、上記制御回路３１１から供給される信号に基づいて上記発生させられた搬送波を変調（この例では制御回路３１１からの「ＴＸ＿ＡＳＫ」信号に基づく振幅変調）する送信乗算回路３１６（但し「ＴＸ＿ＡＳＫ信号」の場合は増幅率可変アンプ等を用いてもよい）と、その送信乗算回路３１６により変調された変調波を増幅（この例では制御回路３１１からの「ＴＸ＿ＰＷＲ」信号によって増幅率を決定される増幅）する送信アンプ３１７とを備えている。そして、上記発生される搬送波は、好適にはＵＨＦ帯、マイクロ波帯、あるいは短波帯の周波数を用いており、上記送信アンプ３１７の出力は、送受分離器３１４を介しラベル作成用アンテナ３０６Ｗ（またはリーダ用アンテナ３０６Ｒ）に伝達されて、無線タグ回路素子Ｔo−Ｗ（または無線タグ回路素子Ｔo−Ｒ）のＩＣ回路部１５０に供給される。なお、無線タグ情報は上記のように変調した信号に限られず、単なる搬送波のみの場合もある。
【００６６】
受信部３１３は、ラベル作成用アンテナ３０６Ｗ（またはリーダ用アンテナ３０６Ｒ）で受信された無線タグ回路素子Ｔo−Ｗ（または無線タグ回路素子Ｔo−Ｒ）からの反射波と上記発生させられた搬送波とを乗算して復調する受信第１乗算回路３１８と、その受信第１乗算回路３１８の出力から必要な帯域の信号のみを取り出すための第１バンドパスフィルタ３１９と、この第１バンドパスフィルタ３１９の出力を増幅する受信第１アンプ３２１と、この受信第１アンプ３２１の出力をさらに増幅してデジタル信号に変換する第１リミッタ３２０と、上記ラベル作成用アンテナ３０６Ｗ（またはリーダ用アンテナ３０６Ｒ）で受信された無線タグ回路素子Ｔo−Ｗ（または無線タグ回路素子Ｔo−Ｒ）からの反射波と上記発生された後に移相器３２７により位相を９０°遅らせた搬送波とを乗算する受信第２乗算回路３２２と、その受信第２乗算回路３２２の出力から必要な帯域の信号のみを取り出すための第２バンドパスフィルタ３２３と、この第２バンドパスフィルタ３２３の出力を増幅する受信第２アンプ３２５と、この受信第２アンプ３２５の出力をさらに増幅してデジタル信号に変換する第２リミッタ３２４とを備えている。そして、上記第１リミッタ３２０から出力される信号「ＲＸＳ−Ｉ」及び第２リミッタ３２４から出力される信号「ＲＸＳ−Ｑ」は、上記制御回路３１１に入力されて処理される。
【００６７】
また、受信第１アンプ３２１及び受信第２アンプ３２５の出力は、強度検出手段としてのＲＳＳＩ（Received  Signal  Strength  Indicator)回路３２６にも入力され、それらの信号の強度を示す信号「ＲＳＳＩ」が制御回路３１１に入力されるようになっている。このようにして、本実施形態のタグラベル作成装置３００では、Ｉ−Ｑ直交復調によって無線タグ回路素子Ｔo−Ｗ（または無線タグ回路素子Ｔo−Ｒ）からの反射波の復調が行われる。
【００６８】
また、制御回路３１１は、上記通信制御部３０９の通信制御によりＰＣ端末１００やデータサーバ２００との通信回線ＮＷを介した情報の送受信を行うと共に、上記記憶部３１０に対し情報の書き込み及び読み出しを行う。
【００６９】
図５は、上記無線タグラベルＴ−Ｒ（又は無線タグラベルＴ−Ｗ）に備えられた上記無線タグ回路素子Ｔo−Ｒ（又は無線タグ回路素子Ｔo−Ｗ）の機能的構成の一例を表すブロック図である。なお、無線タグ回路素子Ｔo−Ｒと無線タグ回路素子Ｔo−Ｗとは同等の機能構成であるため、ここでは共通の符号を用いて説明する。また、図中に示す矢印は信号の流れの一例を示すものであり、信号の流れ方向を限定するものではない。
【００７０】
図５において、無線タグ回路素子Ｔo−Ｒ，Ｔo−Ｗは、タグラベル作成装置３００のラベル作成用アンテナ３０６Ｗ（またはリーダ用アンテナ３０６Ｒ）と非接触で信号の送受信を行う上記タグアンテナ１５１と、このタグアンテナ１５１に接続された上記ＩＣ回路部１５０とをそれぞれ有している。
【００７１】
ＩＣ回路部１５０は、タグアンテナ１５１により受信された質問波を整流する整流部１５２と、この整流部１５２により整流された質問波のエネルギを蓄積しＩＣ回路部１５０の駆動電源とするための電源部１５３と、上記タグアンテナ１５１により受信された質問波からクロック信号を抽出して後述する制御部１５７に供給するクロック抽出部１５４と、所定の情報信号を記憶し得る情報記憶部として機能するメモリ部１５５と、上記タグアンテナ１５１に接続された変復調部１５６と、上記整流部１５２、クロック抽出部１５４及び変復調部１５６等を介して上記無線タグ回路素子Ｔo−Ｒ，Ｔo−Ｗの作動を制御するための制御部１５７とを備えている。
【００７２】
変復調部１５６は、タグアンテナ１５１により受信された上記タグラベル作成装置３００のラベル作成用アンテナ３０６Ｗ（またはリーダ用アンテナ３０６Ｒ）からの通信信号の復調を行うと共に、上記制御部１５７からの返信信号に基づき、タグアンテナ１５１で受信した質問波を変調し、タグアンテナ１５１より応答波として再送信する。
【００７３】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００７４】
クロック抽出部１５４は受信した信号からクロック成分を抽出して制御部１５７にクロックを抽出するものであり、受信した信号のクロック成分の速度に対応したクロックを制御部１５７に供給する。
【００７５】
上記メモリ部１５５には、当該無線タグラベルＴの上記固定印字領域Ｓｘの印字内容（マークやフレーム、罫線等）を表すデザイン情報である上記テンプレート情報の識別情報であるテンプレートＩＤが記憶されている。このテンプレートＩＤは、上記データサーバ２００に格納されたテンプレート情報と対応付けされており、タグラベル作成装置３００の制御回路３１１は、無線タグラベルＴ−Ｒから読み取った上記テンプレートＩＤを用いてデータサーバ２００を参照することにより、対応するテンプレート情報を取得できるようになっている。なお、上記テンプレートＩＤの代わりに、テンプレート情報が格納された格納先情報（ネットワークアドレス等）を記憶させるようにしてもよい。
【００７６】
上記構成の無線タグ生成システム１において、例えば名札に用いる無線タグラベルを複数作成する場合や、所属が共通の複数の物品の管理に用いる無線タグラベルを作成する場合等、既成の（タグラベル作成装置３００で作成済みの）印字付き無線タグラベルＴと同様の印字態様の無線タグラベルＴ（例えば上記の例では全体の印字態様はそのままで名前や物品名の印字のみを変更した無線タグラベルＴ）を新規に作成する際には、操作者はまず印字態様を流用又は活用する無線タグラベルＴ−Ｒをタグラベル作成装置３００のリーダ用アンテナ３０６Ｒに近づけて上記テンプレートＩＤを読み取らせる。これにより、タグラベル作成装置３００は、そのテンプレートＩＤに基づいてデータサーバ２００を参照し、無線タグラベルＴ−Ｒのテンプレート情報を取得する。この取得したテンプレート情報は、ＰＣ端末１００に送信され、表示部１０１に表示される。操作者は、その表示を参照しつつ、ＰＣ端末１００の操作部１０２を用いてテンプレート以外の部分（テキスト部分等。上記の例では名前や物品名）の編集を行うと、作成された印刷データがＰＣ端末１００からタグラベル作成装置３００に送信される。これにより、タグラベル作成装置３００では、無線タグ回路素子Ｔo−Ｗに対し対応する無線タグ情報の書き込みが行われると共に、上記受信した印刷データに基づく印字が行われた印字付き無線タグラベルＴ−Ｗが作成される。
【００７７】
図６は、上記無線タグラベルＴを作成する際にタグラベル作成装置３００の制御回路３１１によって実行される制御手順を表すフローチャートである。
【００７８】
まずステップＳ５では、新規のテンプレートを用いて無線タグラベルＴを作成するか、又は前回のラベル作成時に用いたテンプレートを用いて無線タグラベルＴを作成するかを判定する。この判定は、ＰＣ端末１００より通信回線ＮＷを介して新規作成信号が入力されたか、又は連続作成指示信号が入力されたかを検出することによって行われる（後述の図７中ステップＳ１１０、ステップＳ１１５参照）。ＰＣ端末１００より連続作成指示信号が入力された場合には、判定が満たされずにステップＳ１０に移り、記憶部３１０より前回のタグラベル作成時に用いたテンプレート情報を読み出して、後述のステップＳ４０に移る。一方、ＰＣ端末１００より新規作成信号が入力された場合には、判定が満たされて次のステップＳ１５に移る。
【００７９】
ステップＳ１５では、高周波回路３０１Ｒ及びリーダ用アンテナ３０６Ｒを介し、無線タグラベルＴ−Ｒの無線タグ回路素子Ｔo−ＲのＩＣ回路部１５０に記憶された情報を読み取るための問い合わせ信号を生成して高周波回路３０１Ｒを介して通信範囲内に存在する無線タグ回路素子Ｔo−Ｒに送信し、返信を促す。
【００８０】
その後、ステップＳ２０に移り、上記問い合わせ信号に対応し無線タグラベルＴ−Ｒの無線タグ回路素子Ｔo−Ｒから返信されたリプライ信号がリーダ用アンテナ３０６Ｒ及び高周波回路３０１Ｒを介し受信されたかどうかを判定する。リーダ用アンテナ３０６Ｒを介し無線タグラベルＴ−Ｒからリプライ信号が受信されていなければ判定が満たされずにステップＳ１５に戻り、再び問い合わせ信号の送信を繰り返す。一方、リーダ用アンテナ３０６Ｒを介し無線タグラベルＴ−Ｒからリプライ信号を受信している場合には、判定が満たされて次のステップＳ２５に移る。
【００８１】
ステップＳ２５では、上記受信したリプライ信号に基づき、当該リプライ信号を返信した無線タグラベルＴ−Ｒに対応するテンプレートＩＤを読み取り取得する。
【００８２】
次のステップＳ３０では、上記ステップＳ２５でテンプレートＩＤが取得できたか否かを判定する。例えば、操作者がテンプレートＩＤが記憶されていない（タグラベル作成装置３００で作成されていない）無線タグラベルＴの情報読み取りを行わせた場合等においては、テンプレートＩＤが取得されないため、判定が満たされずに後述のステップＳ６５に移る。そして、通信制御部３０９、通信回線ＮＷ、及び通信制御部１０４を介してＰＣ端末１００の制御回路１０５に制御信号を送信し、表示部１０１にその旨の表示（例えば「読み取ったタグが適切ではありません」「テンプレートが記憶されていません」等）を行わせるエラー処理を行う。一方、上記ステップＳ２５でテンプレートＩＤが取得できた場合には、判定が満たされて次のステップＳ３５に移る。
【００８３】
ステップＳ３５では、通信制御部３０９、通信回線ＮＷ、及び通信制御部１０４を介してデータサーバ２００にアクセスし、上記ステップＳ２５で取得したテンプレートＩＤに対応するテンプレート情報を取得する。
【００８４】
次のステップＳ３７では、上記ステップＳ３５で取得したテンプレート情報を記憶部３１０に記憶させる。なおこのとき、記憶部３１０に前のラベル作成時に記憶されたテンプレート情報がある場合には、更新するようになっている（すなわち記憶部３１０には直前のラベル作成時に用いたテンプレート情報のみが記憶される）。
【００８５】
次のステップＳ４０では、上記ステップＳ３５で取得したテンプレート情報（第１表示信号）を、通信制御部３０９、通信回線ＮＷ、及び通信制御部１０４を介してＰＣ端末１００の制御回路１０５に送信する。
【００８６】
次のステップＳ４５では、通信回線ＮＷ及び通信制御部３０９を介してＰＣ端末１００（の制御回路１０５）より印刷データを受信したか否かの判定を行う。この印刷データは、操作者がＰＣ端末１００の操作部１０２を用いてテンプレート以外の部分を編集することにより作成された印刷データである（後述の図７参照）。ＰＣ端末１００より印刷データを受信するまで本ステップを繰り返し、受信した場合には次のステップＳ５０に移る。
【００８７】
ステップＳ５０では、作成対象である無線タグラベルＴ−Ｗの無線タグ回路素子Ｔo−Ｗに対し無線通信を介して書き込むタグ書き込み情報の作成を行う。このタグ書き込み情報には、上記ステップＳ２５で取得したテンプレートＩＤや、当該無線タグラベルＴの管理対象（人、物品等）に関する情報（情報そのものでもよいし、当該情報に対応する識別情報でもよい）が含まれる。なお、このタグ書き込み情報を、タグラベル作成装置３００以外、例えばＰＣ端末１００やデータサーバ２００で作成し、それを受信して取得するようにしてもよい。
【００８８】
次のステップＳ５５では、上記ステップＳ４５でＰＣ端末１００より受信した印刷データに基づき、印字ヘッド３０５でタグテープ３０３の所定の印字領域に印字を行う。また、高周波回路３０１Ｗによりアクセス情報を生成してラベル作成用アンテナ３０６Ｗを介して無線タグ回路素子Ｔo−Ｗへ送信し、ＩＣ回路部１５０へ上記ステップＳ５０で作成したタグ書き込み情報の書き込みを行う。
【００８９】
次のステップＳ６０では、上記ステップＳ５５で行った印字・情報書き込みが正常に終了したか否かの判定を行う。例えば情報書き込みが正常に終了したか否かの判定は、具体的には、高周波回路３０１Ｗにより無線タグ回路素子Ｔo−ＷのＩＣ回路部１５０の内容を確認する確認信号に応じたアクセス情報を生成して、ラベル作成用アンテナ３０６Ｗを介して無線タグ回路素子Ｔo−Ｗへ送信し、それに対応して書き込み対象の無線タグ回路素子Ｔo−Ｗから送信されたリプライ信号に基づき、上記タグ書き込み情報の書き込みが正常に完了したか否かを判定することにより行う。印字・情報書き込みが正常に終了していない場合には、判定が満たされずにステップＳ６５に移る。そして、通信制御部３０９、通信回線ＮＷ、及び通信制御部１０４を介してＰＣ端末１００の制御回路１０５に制御信号を送信し、表示部１０１にその旨の表示（例えば「印字が正常に終了しませんでした」「タグ書き込みが正常に終了しませんでした」等）を行わせるエラー処理を行う。一方、印字・情報書き込みが正常に終了した場合には、判定が満たされて次のステップＳ７０に移る。
【００９０】
次のステップＳ７０では、カッタ３０７でタグテープ３０３の切断を行って無線タグ回路素子Ｔo−Ｗを備えた無線タグラベルＴ−Ｗを作成する。これにより、本フローを終了する。
【００９１】
以上のフローにより、新規のテンプレートを用いて無線タグラベルＴ−Ｗを作成する際に無線タグラベルＴ−Ｒのテンプレート情報を一旦取得すると、その情報を記憶部３１０に記憶させるので、その後に同じテンプレート情報を用いて無線タグラベルＴ−Ｗを作成する際には、無線タグラベルＴ−Ｒをリーダアンテナ３０６Ｒにその都度かざしてテンプレート情報を読み取らなくとも、連続して容易にラベル作成を行うことが可能となっている。また、記憶部３１０にテンプレート情報を記憶させているので、例えばラベル幅やラベル長さを変更するためにカートリッジ３５０の交換を行った際であっても、そのまま同じテンプレート情報を用いて無線タグラベルＴ−Ｗの作成を行うことができるようになっている。
【００９２】
なお、上記制御回路３１１によって実行されるステップＳ２５の手順は、特許請求の範囲各項記載の情報取得用アンテナ手段を介し、情報取得用無線タグ回路素子より固定印字領域情報を取得する情報取得手段を構成し、ステップＳ５５の手順が、少なくとも、情報取得手段で取得された固定印字領域情報を用いて、印字手段による印字の制御を行う印字制御手段を構成する。また、ステップＳ３７の手順は、情報取得手段で取得した固定印字領域情報を、装置側記憶手段に書き込み可能な第１書き込み制御手段を構成し、ステップＳ１０の手順は、装置側記憶手段の記憶した固定印字領域情報を読み出す第１読み出し制御手段を構成する。さらに、ステップＳ４０の手順は、固定印字領域情報に対応した固定印字領域を表示するための第１表示信号を生成し出力する第１表示信号生成手段を構成する。
【００９３】
また、上記フローは本発明を上記フローに示す手順に限定するものではなく、発明の趣旨及び技術的思想を逸脱しない範囲内で手順の追加・削除又は順番の変更等をしてもよい。例えば、上記においては無線タグ回路素子Ｔo−Ｒにテンプレート情報の識別情報としてのテンプレートＩＤを記憶させておき、ステップＳ２５でこれを取得して、ステップＳ３５においてデータサーバ２００でそのテンプレートＩＤに対応するテンプレート情報を取得するようにしたが、これに限られない。すなわち、テンプレート情報自体（例えばマークやフレーム、罫線等のデザイン情報自体）を無線タグ回路素子Ｔo−Ｒに記憶させておき、ステップＳ２５で無線タグ回路素子Ｔo−Ｒから直接テンプレート情報を取得するようにしてもよい（この場合にはステップＳ３５は不要となる）。このように、無線タグラベルＴ−Ｒの無線タグ回路素子Ｔo−Ｒにテンプレート情報そのものを直接記憶することで、データサーバ２００のような別途の収納先よりテンプレート情報を取得する必要がなくなり、データサーバ２００を不要とすることができる。
【００９４】
図７は、上記無線タグラベルＴを作成する際にＰＣ端末１００の制御回路１０５によって実行される制御手順を表すフローチャートである。
【００９５】
まずステップＳ１０５では、新規のテンプレートを用いて無線タグラベルＴを作成するか、又は前回のラベル作成時に用いたテンプレートを用いて無線タグラベルＴを作成するかを判定する。この判定は、例えば操作者が表示部１０１に表示させた確認画面を参照しつつ、操作部１０２を介して新規テンプレートを用いたタグラベル作成指示を入力したか、又は前回作成時のテンプレートを用いたタグラベル作成指示を入力したかを検出することによって行われる。新規のテンプレートを用いて無線タグラベルＴを作成する場合には、判定が満たされて次のステップＳ１１０に移り、通信制御部１０４、通信回線ＮＷ、及び通信制御部３０９を介して新規作成指示信号をタグラベル作成装置３００に送信する。そして、次のステップＳ１２０に移る。
【００９６】
一方、上記ステップＳ１０５において、前回用いたテンプレートを用いて無線タグラベルＴを作成する場合には、判定が満たされずにステップＳ１１５に移り、通信制御部１０４、通信回線ＮＷ、及び通信制御部３０９を介して連続作成指示信号をタグラベル作成装置３００に送信する。そして、次のステップＳ１２０に移る。
【００９７】
ステップＳ１２０では、タグラベル作成装置３００から通信回線ＮＷ及び通信制御部１０４を介してテンプレート情報を受信したか否かを判定する（前述の図６中ステップＳ４０参照）。テンプレート情報を受信するまで本ステップを繰り返し、受信した場合には判定が満たされて次のステップＳ１２５に移る。
【００９８】
ステップＳ１２５では、表示部１０１に表示制御信号を出力し、上記ステップＳ１２０で受信したテンプレート情報に基づくテンプレートを表示させる。
【００９９】
次のステップＳ１３０では、操作者が上記テンプレート表示を参照しつつ、操作部１０２を用いてテンプレート以外の部分（テキスト部分等）の編集を行うことにより生成された編集データを入力する。
【０１００】
次のステップＳ１３５では、操作者が上記編集入力を終え、操作部１０２を介してラベル作成開始指令の入力を行ったか否かを判定する。ラベル作成開始指令が入力されない場合には、判定が満たされず、上記ステップＳ１３０に戻る。一方、ラベル作成開始指令が入力された場合には、判定が満たされて次のステップＳ１４０に移る。
【０１０１】
ステップＳ１４０では、テンプレート情報及び上記ステップＳ１３０で入力した編集情報に基づき作成した印刷データを、通信制御部１０４、通信回線ＮＷ、及び通信制御部３０９を介してタグラベル作成装置３００に送信する。そして、本フローを終了する。
【０１０２】
なお、上記フローは本発明を上記フローに示す手順に限定するものではなく、発明の趣旨及び技術的思想を逸脱しない範囲内で手順の追加・削除又は順番の変更等をしてもよい。
【０１０３】
図８は、上記ステップＳ１２５でテンプレート表示を行った表示部１０１による表示の一例を表す図である。この図８において、作成対象の無線タグラベルＴ−Ｗの印字領域Ｓは、予め固定的に設定され、操作者が編集することが不可能である固定印字領域Ｓｘと、この固定印字領域Ｓｘ以外の部分であり、操作者が可変に印字情報を設定することで印字領域Ｓ全体に容易に所望の印字態様を実現できる可変印字領域Ｓｒとから構成されている。この例では、上記固定印字領域Ｓｘは、ラベル長手方向両端部（図８中左右端部）にそれぞれ位置し無線タグ回路素子Ｔo入りの無線タグラベルＴであることを示す無線タグラベルマークＲo及びラベル幅方向に伸びる仕切線Ｌ１と、ラベル幅方向中央部にラベル長手方向に伸びる仕切線Ｌ２とを有している。また可変印字領域Ｓｒは、上記仕切線Ｌ２の上下にそれぞれ配置されており、上段の可変印字領域Ｓｒには操作者に所属名（会社名、部署名等）の入力を促すための「ｄｅｐａｒｔｍｅｎｔ」の文字が表示され、下段の可変印字領域Ｓｒには氏名の入力を促すための「ｎａｍｅ」の文字が表示されている。
【０１０４】
図９は、以上説明した制御が行われることにより、タグラベル作成装置３００で作成された無線タグラベルＴ−Ｗの外観の一例を表す図である。
【０１０５】
この図９において、無線タグラベルＴ−Ｗは、その内部に無線タグ回路素子Ｔo−Ｗを備えており、その表面には上記固定印字領域Ｓｘ及び可変印字領域Ｓｒからなる印字領域Ｓが形成されている。ここでは、上記図７のステップＳ１３０において、操作者により「ｄｅｐａｒｔｍｅｎｔ」の文字が表示された可変印字領域Ｓｒに会社名・所属部署名としての「Ｂ工業株式会社  ＸＸＸ開発部」が入力され、「ｎａｍｅ」の文字が表示された可変印字領域Ｓｒに氏名としての「堀田  太郎」が入力されることにより、印字が行われ作成された無線タグラベルＴ−Ｗの例を示している。
【０１０６】
以上において、無線タグ回路素子Ｔo−ＲのＩＣ回路部１５０のメモリ部１５５に記憶されたテンプレートＩＤは、特許請求の範囲各項記載の情報取得用アンテナ手段を介し、情報取得用無線タグ回路素子より取得した、固定印字領域情報として固定印字領域のデザイン情報に関連づけられたデザイン関連情報に相当する。
【０１０７】
以上のような構成である本実施形態のタグラベル作成装置３００においては、タグラベル作成時には、搬送ローラ３０８で搬送されるタグテープ３０３に対し、印字ヘッド３０５で印字が行われる。またタグテープ３０３の無線タグ回路素子Ｔo−Ｗに対し、ラベル作成用アンテナ３０１Ｗを介し情報送受信が行われ、これによって印字付きの無線タグラベルＴ−Ｗが作成される。
【０１０８】
ここで、本実施形態のタグラベル作成装置３００にはリーダ用アンテナ３０６Ｒが設けられ、既に作成された印字付き無線タグラベルＴ−Ｒの無線タグ回路素子Ｔo−Ｒと情報送受信が可能となっている。この無線タグラベルＴ−Ｒの無線タグ回路素子Ｔo−ＲのＩＣ回路部１５０には、当該無線タグラベルＴ−Ｒの印字領域Ｓのうちの固定印字領域Ｓｘの印字内容を表す情報であるテンプレート情報の識別情報であるテンプレートＩＤが記憶されている。このテンプレートＩＤは、リーダ用アンテナ３０６Ｒを介して制御回路３１１（詳細には制御回路３１１によって実行されるステップＳ２５の手順）によって取得され、このテンプレートＩＤに対応するテンプレート情報がデータサーバ２００から取得される。そして、前述のタグラベル作成時において、制御回路３１１（詳細には制御回路３１１によって実行されるステップＳ５５の手順）が、その取得されたテンプレート情報を用いて印字ヘッド３０５を制御することで、その固定印字領域Ｓｘを含む印字をタグテープ３０３に対し行わせることができる。
【０１０９】
固定印字領域Ｓｘとは、予め固定的に設定され、それ以外の部分に操作者が可変に印字情報を設定するだけで、印字領域Ｓ全体に容易に所望の印字態様を実現できるようにしたものである。本実施形態においては、上記のように、作成済みの印字付き無線タグラベルＴ−Ｒの固定印字領域Ｓｘを流用又は活用して印字ヘッド３０５で印字を行い、新たな無線タグラベルＴ−Ｗを作成することができる。したがって、操作者が印字領域Ｓ全体の印字態様をすべて新規に設定したり、あるいは、操作者がラベル作成の都度固定印字領域Ｓｘを選定・指定する必要がなくなる。この結果、作成のために必要な操作者の負担を大きく低減し、簡単にラベル作成を行うことができる。また、既に作成された実物の無線タグラベルＴと同じ固定印字領域Ｓｘで作成されることから、これから作成しようとする無線タグラベルＴの印字態様を容易にイメージすることができ、操作者にとって視覚的にわかりやすく認識できる
【０１１０】
また、本実施形態では特に、タグラベルＴ−Ｒの無線タグ回路素子Ｔo−ＲのＩＣ回路部１５０に、テンプレート情報に対応するテンプレートＩＤ（又はテンプレート情報が格納された格納先情報）を記憶させる。これにより、制御回路３１１（詳細には制御回路３１１によって実行されるステップＳ２５の手順）で取得したテンプレートＩＤを用いて固定印字領域Ｓｘのテンプレート情報を取得し、その取得したテンプレート情報に対応したデザインの固定印字領域Ｓｘを印字ヘッド３０５でタグテープ３０３の印字領域に印字することで、簡単に無線タグラベルＴ−Ｗの作成を行うことができる。また無線タグ回路素子Ｔo−Ｒにデザイン情報であるテンプレート情報そのものを記憶しなくて済むため、ＩＣ回路部１５０のメモリ容量の消費を小さくすることができる。
【０１１１】
また、本実施形態では特に、テンプレート情報をタグラベル作成装置３００側に設けた記憶部３１０に記憶させている。これにより、カートリッジ３５０の交換を行った際であっても、そのまま同じテンプレート情報を用いて無線タグラベルの作成を行うことができる。
【０１１２】
また、本実施形態では特に、タグラベル作成装置３００が、テグテープ３０３を供給可能なカートリッジ３５０を着脱可能なカートリッジホルダ３５１を有する。このように、着脱可能なカートリッジ３５０よりタグテープ３０３を供給して用いる構造とすることで、消耗品であるタグテープ３０３の補充をカートリッジ３５０の交換によって円滑に行うことができる。
【０１１３】
また、本実施形態では特に、取得したテンプレート情報をタグラベル作成装置３００からＰＣ端末１００に送信し、表示部１０１にそのテンプレート情報に基づくテンプレートを表示させる。これにより、ラベル作成時に流用又は活用するテンプレート情報を、操作者にとって視覚的に明らかに認識させることができる。
【０１１４】
なお、本発明は、上記の一実施形態に限られず、その趣旨と技術思想の範囲を逸脱しない範囲で更に種々の変形が可能である。以下その変形例を説明する。
【０１１５】
（１）テンプレート情報をカートリッジ側に記憶させる場合
図１０は、本変形例のタグラベル作成装置３００の全体構成を概念的に表す全体構成図であり、前述の図２に対応する図である。図２と同様の部分には同符号を付し、説明を省略する。なお、図中に示す矢印は信号の流れの一例を示すものであり、信号の流れ方向を限定するものではない。
【０１１６】
本変形例では、タグラベル作成装置３００のカートリッジホルダ３５１には、カートリッジ用の無線タグ回路素子（以下適宜「カートリッジタグ」と記載する）Ｔo−Ｃを有するカートリッジ３５０が着脱可能に装着される。そして、タグラベル作成装置３００は、そのカートリッジタグＴo−Ｃ（収納体側記憶手段）との間で無線通信により情報の送受信を行い無線タグ情報の読み取り及び書き込みを行うためのカートリッジタグ用アンテナ３０６Ｃと、このカートリッジタグ用アンテナ３０６Ｃ及びラベル作成用アンテナ３０６Ｗを切り替えつつ、上記カートリッジタグＴo−Ｃ及び上記タグテープ３０３に備えられる無線タグ回路素子Ｔo−Ｗとの間でそれぞれ無線通信により情報の送受信を行い無線タグ情報の書き込みを行うことが可能な高周波回路３０１ＷＣとを有している。
【０１１７】
図１１は、上記高周波回路３０１ＷＣの機能構成を表す機能ブロック図であり、前述の図４に対応する図である。図４と同様の部分には同符号を付し、説明を省略する。なお、図中に示す矢印は信号の流れの一例を示すものであり、信号の流れ方向を限定するものではない。
【０１１８】
高周波回路３０１ＷＣは、制御回路３１１により切り替えられるアンテナスイッチ回路３４１を有している。このアンテナスイッチ回路３４１は、周知の高周波用ＦＥＴやダイオードを用いたスイッチ回路であり、制御回路３１１からの選択信号によりアンテナ３０６Ｗ，３０６Ｃのいずれかを送受分離器３１４に接続するものである。
【０１１９】
図１２は、無線タグラベルＴを作成する際に本変形例のタグラベル作成装置３００の制御回路３１１によって実行される制御手順を表すフローチャートであり、前述の図６に対応する図である。図６と同様の手順には同符号を付し、説明を省略する。
【０１２０】
まずステップＳ５では、前述の図６と同様に、新規のテンプレートを用いて無線タグラベルＴを作成するか、又は前回のラベル作成時に用いたテンプレートを用いて無線タグラベルＴを作成するかを判定する。前回のラベル作成時のテンプレートを用いてラベル作成を行う場合には、判定が満たされずにステップＳ１０Ａに移る。このステップＳ１０Ａでは、高周波回路３０１ＷＣによりアクセス情報を生成してカートリッジタグ用アンテナ３０６Ｃを介して無線タグ回路素子Ｔo−Ｃへ送信し、ＩＣ回路部１５０に記憶されたタグ書き込み情報（ここではテンプレート情報）の読み取りを行う。そして、後述のステップＳ４０に移る。一方、新規のテンプレートを用いてラベル作成を行う場合には、判定が満たされて次のステップＳ１５に移る。
【０１２１】
ステップＳ１５〜ステップＳ３５は前述の図６と同様であり、無線タグラベルＴ−Ｒの無線タグ回路素子Ｔo−ＲからテンプレートＩＤを読み取り、このテンプレートＩＤに対応するテンプレート情報をデータサーバ２００から読み出し取得する。
【０１２２】
次のステップＳ３７Ａでは、高周波回路３０１ＷＣによりアクセス情報を生成してカートリッジタグ用アンテナ３０６Ｃを介して無線タグ回路素子Ｔo−Ｃへ送信し、ＩＣ回路部１５０へ上記取得したテンプレート情報の書き込みを行う。
【０１２３】
次のステップＳ４０以降は前述の図６と同様であるので、説明を省略する。なお、上記ステップＳ３７Ａの手順は、特許請求の範囲各項記載の情報取得手段で取得した固定印字領域情報を、収納体設置部に設置した無線タグ回路素子収納体に備えられた収納体側記憶手段に書き込み可能な第２書き込み制御手段を構成し、ステップＳ１０Ａの手順は、収納体側記憶手段の記憶した固定印字領域情報を読み出す第２読み出し制御手段を構成する。
【０１２４】
また、上記フローは本発明を上記フローに示す手順に限定するものではなく、発明の趣旨及び技術的思想を逸脱しない範囲内で手順の追加・削除又は順番の変更等をしてもよい。
【０１２５】
以上説明した変形例においては、テンプレート情報をカートリッジ側に記憶させている。これにより、例えばそのカートリッジ３５０を取り外して別のタグラベル作成装置３００で用いる場合であっても、そのまま同じテンプレート情報を用いてラベル作成を行うことができる。
【０１２６】
（２）カートリッジの種類を検出して適合判断する場合
タグラベル作成装置３００で作成される無線タグラベルＴのラベル長さ及びラベル幅は、カートリッジ３５０の種類（カートリッジ３５０に内蔵されるタグテープ３０３のテープ幅、無線タグ回路素子Ｔo−Ｗの配置間隔等）により制限される。したがって、操作者による編集が終了しＰＣ端末１００で作成された印刷デーは、カートリッジ３５０の種類によっては幅や長さが適合せず印刷不可能である場合も考えられる。本変形例は、ＰＣ端末１００で作成された印刷データが、装着されたカートリッジ３５０に適合するか否かを判定するようにしたものである。
【０１２７】
本変形例のタグラベル作成装置３００等の構成は前述の図１０及び図１１に示すものと同様であるので、説明を省略する。なお、本変形例では、カートリッジ３５０に設けられたカートリッジタグＴo−Ｃには、カートリッジの種類に関する情報（カートリッジ３５０に内蔵されるタグテープ３０３のテープ幅、無線タグ回路素子Ｔo−Ｗの配置間隔等の情報が含まれる。以下、「カートリッジ情報」と記載する。）が記憶されている。
【０１２８】
図１３は、無線タグラベルＴを作成する際に本変形例のタグラベル作成装置３００の制御回路３１１によって実行される制御手順を表すフローチャートであり、前述の図６に対応する図である。図６と同様の手順には同符号を付し、説明を省略する。
【０１２９】
ステップＳ５〜ステップＳ４５は、前述の図６と同様であり、新規のテンプレートを用いてラベル作成する場合には、無線タグラベルＴ−Ｒの無線タグ回路素子Ｔo−ＲからテンプレートＩＤを読み取り、このテンプレートＩＤに対応するテンプレート情報をデータサーバ２００から読み出し取得する。そして、そのテンプレート情報を記憶部３１０に記憶させると共に、ＰＣ端末１００に送信し、このＰＣ端末１００から印刷データを受信すると次のステップＳ４６に移動する。
【０１３０】
ステップＳ４６では、高周波回路３０１ＷＣによりアクセス情報を生成してカートリッジタグ用アンテナ３０６Ｃを介して無線タグ回路素子Ｔo−Ｃへ送信し、ＩＣ回路部１５０に記憶された上記カートリッジ情報の読み取りを行う。
【０１３１】
次のステップＳ４７では、上記ＰＣ端末１００から受信した印刷データと上記ステップＳ４６で取得したカートリッジ情報とを比較照合し、適合性の判定を行う。例えば、読み出されたテンプレート情報に基づく固定印字領域Ｓｘが大きすぎる、又は操作者により入力されたテキストが長すぎる等により、装着されたカートリッジ３５０のタグテープ３０３では印刷データの全領域が印刷できず、ラベル作成が不可能である場合等には、判定が満たされず、ステップＳ６５に移り、表示部１０１にその旨の表示（例えば「印刷データが大きすぎます」「カートリッジを交換してください」等）を行わせるエラー処理を行う。一方、受信した印刷データの全部が問題なく印刷可能であり、ラベル作成が可能である場合等には、判定が満たされて、次のステップＳ５０に移る。
【０１３２】
ステップＳ５０以降は前述の図６と同様であるので説明を省略する。なお、上記ステップＳ４７の手順は、特許請求の範囲各項記載のタグ媒体検出手段で検出されたタグ媒体の種類と、情報取得手段で取得した固定印字領域情報との適合性を判定する適合性判定手段を構成し、ステップＳ６５の手順は、適合性判定手段で不適合と判定された場合、その旨を報知するための不適合報知信号を生成する報知信号生成手段を構成する。また、ステップＳ６５においてＰＣ端末１００の制御回路１０５に送信する制御信号が、適合性判定手段で不適合と判定された場合にその旨を報知するための不適合報知信号に相当する。
【０１３３】
また、上記フローは本発明を上記フローに示す手順に限定するものではなく、発明の趣旨及び技術的思想を逸脱しない範囲内で手順の追加・削除又は順番の変更等をしてもよい。例えば、ステップＳ４６の手順をステップＳ５の前に行うようにしてもよい。
【０１３４】
また上記において、高周波回路３０１ＷＣ及びカートリッジタグ用アンテナ３０６Ｃとは、収納体設置部に設置する無線タグ回路素子収納体に備えられたタグ媒体の種類を検出するタグ媒体検出手段を構成する。なお、このタグ媒体検出手段としては、上記カートリッジタグＴo−Ｃを用いたものに限られず、例えばカートリッジ３５０に設けた検出子を機械的、又は光学的に読み取る検出センサを用いるようにしてもよい。
【０１３５】
以上説明した変形例においては、カートリッジ３５０（タグテープ３０３）側と固定印字領域Ｓｘとの適合性を判定することにより、不適合の場合には、その旨を報知し、操作者がカートリッジ３５０を適合するものに交換する等の対応をとることができる。この結果、不適合時にそのまま印字を行い好ましくない印字態様となるのを確実に防止することができる。また、同様の印字態様のラベルを作成するのが難しいことを、確実に操作者に認識させることができる。
【０１３６】
なお、上記変形例においては、不適合の場合に操作者に報知するようにしたが、これに限られず、不適合の場合に適宜の領域変更手段（例えば制御回路３１１が実行する一手順。図示せず）を用いて印刷データをカートリッジ３５０（タグテープ３０３）の種類に対応させてその領域を変更するようにしてもよい。ここでいう変更とは、例えば固定印字領域Ｓｘ及び可変印字領域Ｓｒの等倍比拡大・縮小や、その幅方向又は長手方向の拡大・縮小等のことである。この場合、同様の印字態様のラベルを作成するのが難しい場合であっても、なるべくそれに近い印字態様（例えば印字領域の等倍比拡大・縮小や幅方向又は長手方向の拡大・縮小等したもの）のラベルを作成することができる。
【０１３７】
（３）使用したテンプレート情報を全て蓄積する場合
上記実施形態では、前回使用したテンプレート情報のみ記憶部３１０に記憶しておきそれを使用できるようにしたが、これに限られず、無線タグラベルＴ−Ｒから読み取り取得したテンプレート情報については全て記憶部３１０に書き込み蓄積しておき、新規テンプレートを使用しない場合に、操作者がそれらを一覧表示させてその中から所望のテンプレートを選択し使用できるようにしてもよい。
【０１３８】
図１４は、無線タグラベルＴを作成する際に本変形例のタグラベル作成装置３００の制御回路３１１によって実行される制御手順を表すフローチャートであり、前述の図６に対応する図である。図６と同様の手順には同符号を付し、説明を省略する。
【０１３９】
本変形例のフローでは、新規のテンプレートを用いてラベル作成を行う場合に、無線タグラベルＴ−Ｒの無線タグ回路素子Ｔo−Ｒから読み取ったテンプレートＩＤに対応するテンプレート情報を、ステップＳ３７Ｂにおいて記憶部３１０に記憶させる。このとき、本変形例では上記実施形態と異なり、テンプレート情報を更新せずに次々と蓄積するようになっている。
【０１４０】
そして、以前に使用したテンプレート情報を用いて（すなわち記憶部３１０に蓄積されたテンプレート情報を用いて）ラベル作成を行う場合には、ステップＳ５の判定が満たされずにステップＳ１０Ｂに移る。
【０１４１】
ステップＳ１０Ｂでは、記憶部３１０より蓄積されたテンプレート情報を読み出す。なおこのとき、蓄積されたテンプレート情報の一部（例えばテンプレート名やサムネイル情報）を読み出すようになっている。
【０１４２】
次のステップＳ１１では、通信制御部３０９、通信回線ＮＷ、及び通信制御部１０４を介してＰＣ端末１００の制御回路１０５に制御信号を送信し、表示部１０１に上記ステップＳ１０Ｂで読み出したテンプレート情報の一覧表示（例えばテンプレート名の一覧やサムネイル表示の一覧等）を行わせる。これにより、操作者にテンプレートの選択を行うように促す。
【０１４３】
次のステップＳ１２では、操作者によりテンプレートの選択が行われたか否かを、操作部１０２からの選択信号が通信制御部１０４、通信回線ＮＷ、及び通信制御部３０９を介して入力されたか否かによって判定する。選択が行われると、次のステップＳ１３に移る。
【０１４４】
ステップＳ１３では、上記選択されたテンプレートに係るテンプレート情報を記憶部３１０より読み出し取得する。この他の手順については、前述の図６と同様であるので説明を省略する。
【０１４５】
なお、上記フローは本発明を上記フローに示す手順に限定するものではなく、発明の趣旨及び技術的思想を逸脱しない範囲内で手順の追加・削除又は順番の変更等をしてもよい。
【０１４６】
以上説明した変形例によれば、過去に一度でも使用したテンプレート情報については、これを記憶部３１０から読み出すことで流用又は活用し、同様のテンプレートを用いて簡単にラベル作成を行うことができる。
【０１４７】
なお、本変形例においては、記憶部３１０にテンプレート情報を次々と蓄積するため、記憶部３１０の記憶容量が一杯になることも考えられる。このような場合に備え、記憶部３１０の残りの記憶容量を監視しておき、容量が不足しそうになった場合に、適宜の削除処理手段（例えば制御回路３１１が実行する一手順。図示せず）により蓄積されたテンプレート情報を削除するようにしてもよい。このとき、複数のテンプレート情報のうち１つ（又は２つ以上）を削除するようにしてもよいし、１つのテンプレート情報のうちの一部のデータを削除するようにしてもよい。これにより、操作者は、テンプレート情報の蓄積によるメモリ不足やこれによる書き込み失敗を気にする必要がなくなる。なお、テンプレート情報を削除するのではなく、圧縮するようにしてもよい。
【０１４８】
さらに、上記の場合において、頻繁に使用するテンプレート情報等については削除したくない場合がある。このような場合に備え、適宜の識別子付与手段（例えば制御回路３１１が実行する一手順。図示せず）により、記憶部３１０に記憶された複数のテンプレート情報のうち特定の情報について削除防止の識別子（フラグ等）を付与するようにしてもよい。これにより、特に削除処理されたくないテンプレート情報（例えば操作者にとって大事なもの等）を、知らない間に誤って自動削除処理されないようにすることができる。
【０１４９】
（４）デフォルト設定されたテンプレート情報を表示させる場合
上記実施形態では、まず初めに操作者が新規のテンプレートを用いるか前に使用したテンプレートを用いるかを選択し、新規な場合には無線タグラベルＴ−Ｒから読み取ったテンプレート情報を、新規でない場合には記憶部３１０から読み出したテンプレート情報をＰＣ端末１００で表示させるようにしたが、これに限られず、予め設定（デフォルト設定）された優先的に用いるテンプレートを表示させるようにしてもよい。
【０１５０】
図１５は、無線タグラベルＴを作成する際に本変形例のタグラベル作成装置３００の制御回路３１１によって実行される制御手順を表すフローチャートであり、前述の図６に対応する図である。図６と同様の手順には同符号を付し、説明を省略する。
【０１５１】
まずステップＳ３５Ａでは、記憶部３１０よりデフォルト設定されたテンプレート情報を読み出す。デフォルト設定の詳細については、
【０１５２】
次のステップＳ４０〜ステップＳ７５は前述の図６と同様であり、上記読み出したテンプレート情報をＰＣ端末１００に送信し、このＰＣ端末１００から印刷データを受信すると、当該印刷データに基づく印字及び無線タグ情報の書き込みを行い、タグテープ３０３の切断を行って無線タグラベルＴ−Ｗの作成を行う。
【０１５３】
その後、ステップＳ２００でデフォルト設定処理（詳細は後述）を行い、本フローを終了する。
【０１５４】
なお、上記フローは本発明を上記フローに示す手順に限定するものではなく、発明の趣旨及び技術的思想を逸脱しない範囲内で手順の追加・削除又は順番の変更等をしてもよい。
【０１５５】
図１６は、上記ステップＳ２００の詳細手順を表すフローチャートである。
【０１５６】
まずステップＳ２１０では、通信制御部３０９、通信回線ＮＷ、及び通信制御部１０４を介してＰＣ端末１００の制御回路１０５に制御信号を送信し、操作者に対しテンプレートのデフォルト設定を変更するか否かの確認を求める確認画面表示を行わせ、これに応じて操作者がデフォルト設定の変更をするか否かのどちらの選択を行ったかの判定を、その選択信号を検出することによって行う。デフォルト設定を変更しない場合には、本フローを終了する。一方、デフォルト設定を変更する場合には、次のステップＳ２２０に移る。
【０１５７】
ステップＳ２２０では、記憶部３１０より記憶された全てのテンプレート情報を読み出す。なおこのとき、記憶されたテンプレート情報の一部（例えばテンプレート名やサムネイル情報）を読み出すようになっている。
【０１５８】
次のステップＳ２３０では、通信制御部３０９、通信回線ＮＷ、及び通信制御部１０４を介してＰＣ端末１００の制御回路１０５に制御信号を送信し、表示部１０１に上記ステップＳ２２０で読み出したテンプレート情報の一覧表示（例えばテンプレート名の一覧やサムネイル表示の一覧等）を行わせる。これにより、操作者にテンプレートの選択を行うように促す。
【０１５９】
次のステップＳ２４０では、操作者によりテンプレートの選択が行われたか否かを、操作部１０２からの選択信号が通信制御部１０４、通信回線ＮＷ、及び通信制御部３０９を介して入力されたか否かによって判定する。選択が行われると、次のステップＳ２５０に移る。
【０１６０】
ステップＳ２５０では、上記選択されたテンプレートに係るテンプレート情報を例えばフラグを立てることによりデフォルトに設定する。そして、本ルーチンを終了する。このようにして、テンプレートのデフォルト設定が行われる。
【０１６１】
なお、上記フローにおけるステップＳ２５０の手順は、特許請求の範囲各項記載の装置側記憶手段又は収納体側記憶手段に記憶された複数の固定印字領域情報のうち、第１又は第２読み出し制御手段による読み出し処理後に第１表示信号生成手段で優先的に第１表示信号を生成するものを設定可能な表示設定手段を構成する。
【０１６２】
また、上記フローは本発明を上記フローに示す手順に限定するものではなく、発明の趣旨及び技術的思想を逸脱しない範囲内で手順の追加・削除又は順番の変更等をしてもよい。
【０１６３】
以上説明した変形例によれば、複数のテンプレート情報のうち特定のテンプレート情報について優先的に表示させるので、それを流用又は活用してラベル作成を行う場合に操作者の選択・指定操作を不要とし、操作労力を低減することができる。なお、テンプレートのデフォルト設定は、上記したようにラベル作成終了後に限らず、例えば記憶部３１０にテンプレート情報を記憶させる際、記憶部３１０から読み出す際、又はＰＣ端末１００の表示部１０１に表示させる際等、いつ行うようにしてもよい。
【０１６４】
なお上記変形例においては、操作者が所望するテンプレートを選択することによりデフォルト設定を行うようにしたが、これに限られず、無線タグラベルＴ−Ｒから読み取り取得された時期（すなわち記憶部３１０に記憶された時期）が最新のものを自動的にデフォルトに設定するようにしてもよい。これにより、最新のテンプレート情報を流用又は活用してラベル作成を行う場合に、選択・指定操作を不要とすることができる。
【０１６５】
（５）可変領域情報をタグに記憶させる場合
上記実施形態では、無線タグラベルＴ−Ｒの無線タグ回路素子Ｔo−ＲにテンプレートＩＤを記憶させておき、ラベル作成の際にはこれに基づいて取得したテンプレート情報をＰＣ端末に表示させて、操作者がテキストの編集を行うようにしたが、これに限られない。すなわち、無線タグラベルＴ−Ｒの無線タグ回路素子Ｔo−ＲにテンプレートＩＤと共に可変印字領域Ｓｒの情報であるテキスト情報を記憶させておき、ラベル作成の際には当該無線タグ回路素子Ｔo−Ｒから読み取って取得したテキスト情報のみをＰＣ端末に表示させて、操作者がテキストの編集を行うようにしてもよい。
【０１６６】
図１７は、無線タグラベルＴを作成する際に本変形例のタグラベル作成装置３００の制御回路３１１によって実行される制御手順を表すフローチャートであり、前述の図６に対応する図である。図６と同様の手順には同符号を付し、説明を省略する。なお、上記のように、本変形例では無線タグラベルＴ−Ｒの無線タグ回路素子Ｔo−ＲにはテンプレートＩＤと共に可変印字領域Ｓｒの情報であるテキスト情報（可変印字情報）が記憶されている。
【０１６７】
ステップＳ５〜ステップＳ２０は前述の図６と同様であり、新規のテンプレートを用いて無線タグラベルＴを作成するには、無線タグラベルＴ−Ｒの無線タグ回路素子Ｔo−Ｒに問い合わせ信号を送信し、返信されたリプライ信号を受信したか否かの判定を行う。リプライ信号を受信している場合には、判定が満たされて次のステップＳ２５Ａに移る。
【０１６８】
ステップＳ２５Ａでは、上記受信したリプライ信号に基づき、当該リプライ信号を返信した無線タグラベルＴ−Ｒに対応するテンプレートＩＤ及び可変印字領域Ｓｒの情報であるテキスト情報を読み取り取得する。
【０１６９】
次のステップＳ３０〜ステップＳ３７は前述の図６と同様であり、データサーバ２００を検索してテンプレートＩＤに対応するテンプレート情報を取得し、記憶部３１０に記憶させる。
【０１７０】
次のステップＳ４０Ａでは、上記ステップＳ２５Ａで取得したテキスト情報（第２表示信号）を、通信制御部３０９、通信回線ＮＷ、及び通信制御部１０４を介してＰＣ端末１００の制御回路１０５に送信する。
【０１７１】
次のステップＳ４５Ａでは、通信回線ＮＷ及び通信制御部３０９を介してＰＣ端末１００（の制御回路１０５）より編集されたテキストデータを受信したか否かの判定を行う。この印刷データは、操作者がＰＣ端末１００の操作部１０２を用いて上記ステップＳ４０Ａで送信したテキスト情報を編集することにより作成されたテキストデータである。ＰＣ端末１００よりテキストデータを受信するまで本ステップを繰り返し、受信した場合には次のステップＳ４７に移る。
【０１７２】
ステップＳ４７では、上記ステップＳ４５ＡでＰＣ端末１００より受信したテキストデータと、先のステップＳ３５で取得したテンプレート情報とを組み合わせて印刷データを生成する。
【０１７３】
次のステップＳ５０以降は前述の図６と同様であり、上記ステップＳ４７で生成した印刷データに基づく印字及び無線タグ情報の書き込みを行い、タグテープ３０３の切断を行って無線タグラベルＴ−Ｗの作成を行う。
【０１７４】
なお、上記フローにおけるステップＳ４０Ａの手順は、特許請求の範囲各項記載の情報取得手段で取得した可変印字情報を表示するための第２表示信号を生成し出力する第２表示信号生成手段を構成し、ステップＳ４５Ａの手順は、第２表示信号に対応した新たな可変印字情報を入力する情報入力手段を構成する。
【０１７５】
また、上記フローは本発明を上記フローに示す手順に限定するものではなく、発明の趣旨及び技術的思想を逸脱しない範囲内で手順の追加・削除又は順番の変更等をしてもよい。
【０１７６】
図１８は、無線タグラベルＴを作成する際に本変形例のＰＣ端末１００の制御回路１０５によって実行される制御手順を表すフローチャートであり、前述の図７に対応する図である。図７と同様の手順には、同符号を付し説明を省略する。
【０１７７】
ステップＳ１０５〜ステップＳ１１５は前述の図７と同様であり、新規のテンプレートを用いて無線タグラベルＴを作成する場合には、新規作成指示信号をタグラベル作成装置３００に送信し、前回用いたテンプレートを用いて無線タグラベルＴを作成する場合には、連続作成指示信号をタグラベル作成装置３００に送信する。そして、次のステップＳ１２０Ａに移る。
【０１７８】
ステップＳ１２０Ａでは、タグラベル作成装置３００から通信回線ＮＷ及び通信制御部１０４を介してテキスト情報を受信したか否かを判定する（前述の図１７中ステップＳ４０Ａ参照）。テキスト情報を受信するまで本ステップを繰り返し、受信した場合には判定が満たされて次のステップＳ１２５Ａに移る。
【０１７９】
次のステップＳ１２５Ａでは、表示部１０１に表示制御信号を出力し、上記ステップＳ１２０Ａで受信したテキスト情報を表示させる。
【０１８０】
次のステップＳ１３０Ａでは、操作者が上記テキスト表示を参照しつつ、操作部１０２を用いてテキストの編集を行うことにより生成された編集データを入力する。なお、上記ステップＳ１２５Ａ及び本ステップＳ１３０Ａにおけるテキストデータ編集の際の表示部１０１による表示の一例を後述する図１９（ａ）及び図１９（ｂ）に示す。
【０１８１】
次のステップＳ１３５では、操作者が上記編集入力を終え、操作部１０２を介してラベル作成開始指令の入力を行ったか否かを判定する。なお、このときの表示部１０１による表示の一例を後述する図１９（ｃ）に示す。ラベル作成開始指令が入力されない場合には、判定が満たされず、上記ステップＳ１３０Ａに戻る。一方、ラベル作成開始指令が入力された場合には、判定が満たされて次のステップＳ１４０Ａに移る。
【０１８２】
ステップＳ１４０Ａでは、上記操作者による編集が終了したテキストデータを、通信制御部１０４、通信回線ＮＷ、及び通信制御部３０９を介してタグラベル作成装置３００に送信する。そして、本フローを終了する。
【０１８３】
なお、上記フローは本発明を上記フローに示す手順に限定するものではなく、発明の趣旨及び技術的思想を逸脱しない範囲内で手順の追加・削除又は順番の変更等をしてもよい。
【０１８４】
以上説明した本変形例によれば、タグラベル作成装置３００から可変印字情報としてのテキスト情報のみを出力してＰＣ端末１００で表示させるようにすることで、この表示時における出力（送信）データ量を削減することができる。またこの結果、タグラベル作成装置３００外に設けた表示装置が（ＰＣ端末１００とは異なり）簡素な表示機能しか持たない場合や、後述する変形例（６）に示すいわゆるスタンドアローンの場合においてタグラベル作成装置自体が有する簡素な表示手段で表示するような場合であっても、テンプレート情報を表示せずテキスト情報のみを表示させることで、円滑にテンプレートを用いたラベル作成を行うことができる。
【０１８５】
図１９は上記効果を説明するための図であり、図１９（ａ）及び図１９（ｂ）は、例えばテキスト２行のみの簡易表示のみ行うことが可能な表示手段を用いた場合における、上記ステップＳ１２５Ａ及びステップＳ１３０Ａでの表示の一例を示す図であり、図１９（ｃ）は同様に上記ステップＳ１３５Ａでの表示の一例を示す図である。
【０１８６】
図１９（ａ）及び図１９（ｂ）は、操作者が可変印字情報である「ｄｅｐａｒｔｍｅｎｔ」を「Ｂ工業株式会社」に編集し、「ｎａｍｅ」を「堀田  太郎」に編集した場合の表示例であり、図１９（ｃ）はラベル作成開始指令の入力画面の一例である。この場合において、操作者が「２」を入力すると上記図１８におけるステップＳ１３５の判定が満たされずにステップＳ１３０Ａに戻り、操作者が「１」を入力するとステップＳ１３５の判定が満たされてステップＳ１４０Ａに移る。
【０１８７】
なお、以上の変形例では操作者が編集する可変印字情報としてテキスト情報を例にとって説明したが、これに限られず、マークやフレーム、罫線等のデザイン情報を可変印字情報としてもよい。
【０１８８】
（６）タグラル作成装置単体がすべての機能を備える場合
すなわち、上記実施形態におけるＰＣ端末１００及びデータサーバ２００の機能をすべて備える（いわゆるスタンドアローン型の）タグラベル作成装置３００’を用いるようにしてもよい。この場合、タグラベル作成装置３００’は、図２０に示すように、データサーバとして機能する例えばハードディスク等の記憶手段であるデータベース３５５と、各種表示を行う表示部３５６（表示手段）と、及び操作者が操作入力する操作部３５７（操作手段）を備えている。
【０１８９】
上記構成であるタグラベル作成装置３００’の制御回路３１１によって行われる制御内容は、以上説明した実施形態や各変形例と同様であるので説明は省略する。
【０１９０】
本変形例によれば、タグラベル作成装置とは別の表示装置等を用意しなくても、ラベル作成時に流用又は活用するテンプレート情報を操作者に表示することができる。また、タグラベル作成装置とは別の操作装置等を用意しなくても、ラベル作成時に置き換えるための新たな可変印字情報としてのテキスト情報を操作者が操作入力することができる。
【０１９１】
（７）その他
以上においては、印字及び無線タグ回路素子Ｔoへのアクセスの終了した印字済みタグラベル用テープ３０３をカッタ３０７で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙（アクセス済みの無線タグ回路素子Ｔoが備えられかつ対応する印字がなされたもの）のみをテープから剥がして無線タグチケット１を作成しても良く、本発明はこのようなものに対しても適用できる。
【０１９２】
さらに、以上は、タグテープがリール部材の周りに巻回されてロールを構成し、このロールが収納されたカートリッジ３５０がカートリッジホルダ３５１に装着されてタグテープが繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグラベル作成装置側のカートリッジホルダに装着して、上記収納部から移送、搬送して印字及び書き込みを行い無線タグラベルＴを作成するようにしてもよい。
【０１９３】
さらには長尺平紙状あるいは短冊状のテープやシートをタグラベル作成装置外より１枚ずつ所定のフィーダ機構によって移送しタグラベル作成装置内へ供給する構成も考えられる。この場合も同様の効果を得る。
【０１９４】
また、以上においては、タグテープ３０３（に備えられた図示しない被印字テープ層）に印字を行う方式（貼りあわせを行わないタイプ）であったが、無線タグ回路素子Ｔoを備えた基材テープ３０３とは別のカバーフィルムに印字を行ってこれらを貼り合わせる方式に本発明を適用してもよい。
【０１９５】
また、以上既に述べた以外にも、上記実施形態や各変形例による手法を適宜組み合わせて利用しても良い。
【０１９６】
その他、一々例示はしないが、本発明は、その趣旨を逸脱しない範囲内において、種々の変更が加えられて実施されるものである。
【図面の簡単な説明】
【０１９７】
【図１】本実施形態のタグラベル作成装置を有する無線タグ生成システムの全体構成を表すシステム構成図である。
【図２】タグラベル作成装置の全体構成を概念的に表す全体構成図である。
【図３】タグラベル作成装置の制御回路の詳細機能を表す機能ブロック図である。
【図４】タグラベル作成装置の制御系の構成を表す機能ブロック図である。
【図５】無線タグラベルに備えられた上記無線タグ回路素子の機能的構成の一例を表すブロック図である。
【図６】無線タグラベルを作成する際にタグラベル作成装置の制御回路によって実行される制御手順を表すフローチャートである。
【図７】無線タグラベルを作成する際にＰＣ端末の制御回路によって実行される制御手順を表すフローチャートである。
【図８】ステップＳ１２５でテンプレート表示を行った表示部による表示の一例を表す図である。
【図９】タグラベル作成装置で作成された無線タグラベルの外観の一例を表す図である。
【図１０】テンプレート情報をカートリッジ側に記憶させる場合の変形例におけるタグラベル作成装置の全体構成を概念的に表す全体構成図である。
【図１１】テンプレート情報をカートリッジ側に記憶させる場合の変形例における高周波回路の機能構成を表す機能ブロック図である。
【図１２】テンプレート情報をカートリッジ側に記憶させる場合の変形例において、無線タグラベルを作成する際にタグラベル作成装置の制御回路によって実行される制御手順を表すフローチャートである。
【図１３】カートリッジの種類を検出して適合判断する場合の変形例において、無線タグラベルを作成する際にタグラベル作成装置の制御回路によって実行される制御手順を表すフローチャートである
【図１４】使用したテンプレート情報を全て蓄積する場合の変形例において、無線タグラベルを作成する際にタグラベル作成装置の制御回路によって実行される制御手順を表すフローチャートである。
【図１５】デフォルト設定されたテンプレート情報を表示させる場合の変形例において、無線タグラベルを作成する際にタグラベル作成装置の制御回路によって実行される制御手順を表すフローチャートである。
【図１６】ステップＳ２００の詳細手順を表すフローチャートである。
【図１７】可変領域情報をタグに記憶させる場合の変形例において、無線タグラベルを作成する際にタグラベル作成装置の制御回路によって実行される制御手順を表すフローチャートである。
【図１８】可変領域情報をタグに記憶させる場合の変形例において、無線タグラベルを作成する際にＰＣ端末の制御回路によって実行される制御手順を表すフローチャートである。
【図１９】テキスト２行のみの簡易表示のみ行うことが可能な表示手段を用いた場合における、ステップＳ１２５Ａ及びステップＳ１３０Ａでの表示の一例を示す図及びステップＳ１３５Ａでの表示の一例を示す図である。
【図２０】タグラル作成装置単体がすべての機能を備える場合の変形例におけるタグラベル作成装置の全体構成を概念的に表す全体構成図である。
【符号の説明】
【０１９８】
１５０          ＩＣ回路部
１５１          タグアンテナ
３００          タグラベル作成装置
３０３          タグテープ（タグ媒体）
３０５          印字ヘッド（印字手段）
３０６Ｒ        リーダ用アンテナ（情報取得用アンテナ手段）
３０６Ｗ        ラベル作成用アンテナ（ラベル作成用アンテナ手段）
３０８          搬送ローラ（搬送手段）
３１０          記憶部（装置側記憶手段）
３５０          カートリッジ
３５１          カートリッジホルダ
３５６          表示部（表示手段）
３５７          操作部（操作手段）
Ｓ              印字領域
Ｓｘ            固定印字領域
Ｔ−Ｒ          無線タグラベル
Ｔo−Ｃ         カートリッジタグ（収納体側記憶手段）
Ｔo−Ｒ         無線タグ回路素子（情報取得用無線タグ回路素子）
Ｔo−Ｗ         無線タグ回路素子（ラベル作成用無線タグ回路素子）
【図１】
2008243145.tif 000003
【図２】
2008243145.tif 000004
【図３】
2008243145.tif 000005
【図４】
2008243145.tif 000006
【図５】
2008243145.tif 000007
【図６】
2008243145.tif 000008
【図７】
2008243145.tif 000009
【図８】
2008243145.tif 000010
【図９】
2008243145.tif 000011
【図１０】
2008243145.tif 000012
【図１１】
2008243145.tif 000013
【図１２】
2008243145.tif 000014
【図１３】
2008243145.tif 000015
【図１４】
2008243145.tif 000016
【図１５】
2008243145.tif 000017
【図１６】
2008243145.tif 000018
【図１７】
2008243145.tif 000019
【図１８】
2008243145.tif 000020
【図１９】
2008243145.tif 000021
【図２０】
2008243145.tif 000022